(57)【要約】      （修正有）【課題】不要な光を制限し、ゴースト等の画像劣化の発生を抑制することを可能にしたコンバータを提供すること。【解決手段】交換式の撮影レンズと、カメラ本体の間に装着するコンバータにおいて、コンバータの開口径を調整する開口径調整手段を持ち、開口径調整手段は、前記開口径調整手段を手動で駆動する手動操作手段と、前記開口径調整手段を固定するロック手段を持つ。【選択図】図１
2011107255.tif 000002
【特許請求の範囲】
【請求項１】
交換式の撮影レンズと、
カメラ本体の間に装着するコンバータにおいて、
前記コンバータに開口径を調整する
開口径調整手段を持つことを特徴とするコンバータ。
【請求項２】
前記開口径調整手段は、
前記開口径調整手段を手動で駆動する手動操作手段と、
前記開口径調整手段を固定するロック手段を
持つことを特徴とする請求項１に記載のコンバータ。
【請求項３】
前記開口径調整手段は、
前記開口径調整手段を電動で駆動する駆動手段と、
前記開口径の大きさを検知する開口径検知手段と、
前記撮影レンズが持つメモリ手段に記憶されたレンズ情報に基づいて、
前記駆動手段と前記開口径検知手段を用いて
前記開口径調整手段を制御する制御手段を持つことを
特徴とする請求項１に記載のコンバータ。
【請求項４】
前記撮影レンズと、前記カメラ本体は、
接続時に双方の情報を通信する通信手段を持ち、
前記コンバータは前記通信手段から
前記カメラ本体の撮像素子の大きさに関わる情報を把握し、
前記撮影レンズのレンズ情報と
前記カメラ本体のカメラ情報の２つの情報に基づいて、
前記開口径調整手段を制御することを特徴とする
請求項１及び３に記載のコンバータ。
【発明の詳細な説明】
【技術分野】
【０００１】
本発明は、撮影レンズとカメラ本体とを連結するマウントコンバータに関するものである。
【背景技術】
【０００２】
従来、カメラの撮像素子の大きさと、交換式レンズのイメージサークルの大きさが合致しない場合、カメラとレンズの間に、マウントコンバータを装着することが知られている。マウントコンバータを用いることで、メカニカルインターフェースの異なるカメラとレンズを連結し、更にフランジバックの長さを変換することができる。
【０００３】
例えば、特許文献１では、カメラとレンズの間に装着するコンバータに他の機能を持たせたものとして、フランジバック調整機構を設けたものが開示されている。
【先行技術文献】
【特許文献】
【０００４】
【特許文献１】実開昭59-114538号公報
【発明の概要】
【発明が解決しようとする課題】
【０００５】
しかしながら、上述の特許文献に開示された従来技術は、レンズのフランジバックを最適な位置に調整することはできるが、カメラの撮像素子のイメージサイズとレンズのイメージサークルの違いにより発生する問題を解消するものではなかった。
【０００６】
カメラの撮像素子の大きさに対してイメージサークルの大きなレンズをコンバータを介して装着した場合、開口径の大きいレンズから不要な光が撮像素子に集光するため、ゴーストが発生するケースがあった。
【０００７】
そのため、コンバータの開口径は、カメラの撮像素子の大きさを考慮して、レンズからの不要な光を制限できるよう必要最小限の径とすることが理想である。しかし、現実には次の問題がある。
【０００８】
一つ目は、同じイメージサイズ用のレンズでも、交換レンズの機種により周辺光量の余裕に差があり、イメージサークルの大きさが一定でない。そのため、ゴーストの発生を防ぐために必要なコンバータの開口径の大きさは、レンズごとに異なり一定でない。
【０００９】
二つ目は、撮像素子の公称サイズが同一のカメラでも、機種によって撮像素子のサイズが多少異なることがある。
【００１０】
上記の問題からコンバータの開口径は、イメージサークルの一番大きなレンズと、撮像素子の一番大きなカメラの組み合わせに合わせて、コンバータの開口径を大きく設定する必要があった。
【００１１】
そのため、カメラのイメージサイズに比べイメージサークルの大きなレンズをコンバータを介して装着した場合、ゴーストの発生するケースが避けられなかった。
【００１２】
そこで、本発明の目的は、不要な光を制限し、ゴースト等の画像劣化の発生を抑制することを可能にしたコンバータを提供することである。
【課題を解決するための手段】
【００１３】
上記目的を達成するために、本発明は、交換式の撮影レンズとカメラ本体の間に装着するコンバータにおいて、コンバータの開口径を調整する開口径調整手段を持つことを特徴とする。
【発明の効果】
【００１４】
本発明によれば、イメージサイズの異なるレンズからカメラの撮像素子に集光する不要な光を制限し、ゴースト等の画像劣化の発生を抑制することを可能にしたコンバータを提供することができる。
【図面の簡単な説明】
【００１５】
【図１】実施例１における(a)コンバータの絞りユニット開口状態の正面図、(b)図１(a)のA-A断面での断面図、(c)コンバータの絞りユニット調整状態の正面図、(d)図１(d)のA-A断面での断面図。
【図２】実施例１における(a)操作環回動可能時のロックつまみ位置、(b)操作環回動不能時のロックつまみ位置。
【図３】実施例２における(a)コンバータの正面図、(b)図３(a)内部の構成断面図。
【発明を実施するための形態】
【００１６】
以下に、本発明の好ましい実施の形態を、添付の図面に基づいて詳細に説明する。
【実施例１】
【００１７】
以下、図１及び図２を用いて、本発明の第１の実施例における詳細な説明を行う
図１(a)は、本発明の実施形態にかかわるコンバータの絞りユニット開口状態の正面図である。図１(b)は図１(a)のA-A断面での断面図である。
【００１８】
図１(a)、(b)で示される、コンバータの撮像光学系１は、カメラ本体に装着可能なアダプター形状を有しているマウント２によって保持されている。バヨネット３はマウント２とネジ部により結合されており、バヨネット３をマウント２に対して回動することでマウント２との光軸方向の位置を変えることができる。
【００１９】
撮影レンズは、コンバータのマウント２に設けられたレンズ嵌合部２a及び、ピン受け部2bにそれぞれレンズマウント嵌合部及び、回転止めピンが嵌合することで位置決めされる。そして、バヨネット３を回転させることで、マウント部２のレンズ突き当て面２cとバヨネット３の面３aとでレンズマウントつば部を挟み込み撮影レンズをコンバータに固定している。
【００２０】
コンバータは、コンバータのマウント部２に設けられたカメラ嵌合部２d及び、回転止めピン２eにそれぞれ、カメラマウント嵌合部及び、ピン受け部が嵌合することで位置決めされる。そして、カメラ本体のバヨネットを回転させることで、カメラ本体のレンズ突き当て面とカメラバヨネットとでマウント部２のつば２fを挟み込み固定している。
【００２１】
開口径調整手段である絞りユニット４は固定部５、カムリフトの切られたカム部６、複数の絞り羽根７からなる。カム部６は、固定部５と外周で嵌合しており、回動自在になっている。
【００２２】
複数の絞り羽根７は、一方は固定部５と嵌合し、もう一方はカム部６のカムリフトと嵌合している。絞り羽根７は、カム部６の回転によりカムリフト上を移動し、複数枚が連動して動くことで絞り径を略円形に開閉口することができる。
【００２３】
絞りユニット４の固定部５は、複数のネジ８によりマウント２に固定されている。また、カム部６と手動操作手段である操作リング９は連結軸９aで連結されている。
【００２４】
操作リング９は、マウント２の外周面に設けられた円環状の突起部２g、２hに嵌合し、回動可能になっている。絞りユニット４の開口径は、操作リング９を回動することにより、連結軸９aがマウント２に空けられた長穴２iを通って、カム部６を回動させ、それに伴い複数の絞り羽根７が開閉口状態に動き、任意の径に調整できる。
【００２５】
図１(c)、(d)は、操作リング９を回転させ、絞りユニット４を絞り込んだ時の図１(a)、(b)の状態を表す図である。
【００２６】
図２(a)、(b)はロック手段であるロックつまみ１０の状態を表す図である。
【００２７】
ロックつまみ１０は操作リング９とネジ部により締結されており、ロックつまみ１０をまわすことによりマウント２の外周面と接地あるいは離間することができる。操作リング９は、ロックつまみ１０がマウント２と離間している間は回動可能で、接地している間は回動不能となっている。
【００２８】
図２aに示すように撮影者はロックつまみ１０がマウント２の外周面と離間している状態で、カメラ本体の映像を見ながら絞り径を任意の開口径に調整することができる。図２bに示すように調整後は、ロックつまみ１０を回しマウント２の外周面と接地させることで操作リング９の動きを固定することができる。それにより、撮影者は撮影中に操作リング９に触れるなどして絞りユニット４の開口径が変わってしまうことを防止できる。
【００２９】
以上の構成の本実施例において、撮像光学系１を通過した光線は、最適な開口径に調整された絞りユニット４により、不要な光が制限され、好適な量の光を撮像素子に集光させることが可能となる。
【００３０】
その結果、撮影レンズのイメージサークルとカメラ本体とのイメージサイズの差異によって発生するゴーストの発生を抑制することができる。
【００３１】
本実施例では、絞りユニット４の開口径は、撮影者がカメラの映像を見ながら最適な径となるよう調整したが、以下のような構成としてもよい。
【００３２】
あらかじめ撮影レンズとカメラ本体の組み合わせの最適径をテーブルとしてまとめておき、そのテーブルに合わせた目盛を操作リング９の外周面に設けておく。その際、マウント２には基準となる位置に印を設けておく。絞りユニット４の開口径調整は、マウント２の基準印に操作リング９の目盛を合わせることで行う。
【００３３】
以上の構成とすることで、映像を見ながら絞りユニット４の開口径を調整する手間を省き、より簡便にコンバータ１の開口径を最適径に調整することが可能となる。また、本構成では、操作リング９側に目盛を、マウント２側に基準印を設けたが、逆の構成としても同様の効果が得られる。
【００３４】
なお、本実施例で述べている最適径とは、映像周辺部の光量を落とさない範囲での必要最小径である。
【実施例２】
【００３５】
以下、図３を用いて本発明の第２の実施例における詳細な説明を行う。
【００３６】
現在、カメラとレンズとのメカニカルインターフェース及びフランジバックの変換のみでなく、電気的な変換も同時に兼ねるレンズコンバータが知られている。本実施例はそのような電気的な変換も兼ねるレンズコンバータに対して好適な例である。
【００３７】
図３(a)は、本発明の実施形態にかかわるコンバータの正面図である。図３(b)は、図３(a)の内部の構成の理解を容易にするために簡略化した構成断面図である。実施例１と同一の符号は同じ部材であるため説明を省略する。
【００３８】
マウント２０にはカメラとの電気接点であるカメラコネクタ２１が複数のネジ２２により固定されている。
【００３９】
２３は電気制御系を収納したハーネスボックスであり、内部には駆動手段である電動モータ２４、中継ギア２５、CPU２８を持った制御回路２９、それらを繋ぐ配線(不図示)が収められている。また、ハーネスボックス２３には絞りユニット２６の開閉口の情報を検出する開口径検知手段であるポテンショメータ２７が内部に収められており、さらに撮影レンズとの電気接点であるレンズコネクタ３０がナット３３により固定されている。なお、開口径検知手段はポテンショメータに限定されずエンコーダ等の位置検出を行えるものであればよい。カメラ本体とコンバータはカメラコネクタ２１で接続され、また、図示しない撮影レンズのケーブルはレンズコネクタ３０に接続されることで、カメラ本体と撮影レンズはコンバータを介して通信を行っている。
【００４０】
制御回路２９は、制御回路上のCPU２８の他に、カメラコネクタ２１、電動モータ２４、ポテンショメータ２７、レンズコネクタ３０と通信可能になっている。
【００４１】
絞りユニット２６のカム部３１はギア部３１aを有しており、ギア部３１aはポテンショメータ２７の軸３２に固定された中継ギア２５に噛み合っている。また、中継ギア２５は電動モータ２４のギア部２４aに噛み合っている。
【００４２】
カメラ本体と撮影レンズの間にコンバータを装着した状態でカメラの電源を入れると電力がカメラ本体からコンバータを介して撮影レンズに供給され、コンバータ及び撮影レンズの電源が入る。
【００４３】
撮影レンズの電源が入るとカメラ本体と撮影レンズは、コンバータを介してそれぞれのCPUから、相互の情報の受け渡しを行う。
【００４４】
コンバータの電源が入るとハーネスボックス２３内部の制御回路２９、電動モータ２４及びポテンショメータ２７に電力が供給される。ポテンショメータ２７は電力が供給されると、その時の絞りユニット２６の開口径を検出し、制御回路２９上のCPU２８にその情報を出力する。
【００４５】
CPU２８は、撮影レンズ個々に対するコンバータの最適径情報をテーブルとして持っている。CPU２８は、撮影レンズとカメラ本体との通信からレンズ情報を取り出し、そのレンズ情報とポテンショメータ２７から入力された開口径情報に基づいて、テーブルに合致した最適径となるような電動モータ２４の駆動量を算出する。CPU２８で算出された電動モータ２４の駆動量は、制御回路２９で指令信号に変換され電動モータ２４に出力される。
【００４６】
電動モータ２４は、指令信号に基づいて所定量だけ駆動し中継ギア２５を回転させる。中継ギア２５の回転によりカム部３１は回転し、絞りユニット２６の開口径が調整される。調整された開口径は、電源が入っている状態では、制御回路２９、ポテンショメータ２７、電動モータ２４により、最適径に維持されるよう制御される。
【００４７】
以上の構成の本実施例において、実施例１で得られる効果に加えて、撮影者が自ら開口径を調整しなくても自動的に最適径に調整できるため、より簡便に調整が行える。
【００４８】
また、絞りユニットの開口径情報とレンズ情報に基づいて開口径を調整するため、必要以上に開口径を小さくしてしまうことによる映像周辺部の光量低下及びケラレを防ぐことができる。
【００４９】
本実施例では、コンバータのCPU２８がカメラ本体と撮影レンズとの通信信号の中から、レンズ情報のみを取り出した例を示したが、カメラ本体と撮影レンズ双方の情報を取り出す構成としてもよい。
【００５０】
その際、CPU２８は撮影レンズ情報の他に、カメラ本体の撮像素子の大きさ情報をテーブルとして持っている構成とし、ポテンショメータ２７、カメラ本体、撮影レンズの３つの情報から最適な開口径を算出し制御を行う。
【００５１】
本構成にすることで、撮影レンズのイメージサークルのみを考慮するだけでなく、カメラ本体の撮像素子の大きさも考慮できるため、カメラ本体と撮影レンズの組み合わせに合わせたより最適な開口径に調整することができる。そのため、より一層撮像素子に集光する不要な光の量を制限することができるため、ゴーストが低減でき画像劣化の少ない映像を撮影することが可能となる。
【００５２】
以上、本発明の好ましい実施形態について説明したが、本発明はこれらの実施形態に限定されず、その要旨の範囲内で種々の変形及び変更が可能である。
【符号の説明】
【００５３】
４、２６  絞りユニット
５  固定部
６、３１  カム部
７  絞り羽根
【図１】
2011107255.tif 000003
【図２】
2011107255.tif 000004
【図３】
2011107255.tif 000005